(57)【要約】  【課題】    本発明は，住居として用いることができる車両を平常時はレンタルさせておき，災害時には，被災地へ向かわせるように管理するシステムを提供することを目的とする。    【解決手段】  上記課題は，予約状況把握部（２）と，レジデンスカー提供情報把握部（３）と，キャンセル信号出力部（４）とを具備するレジデンスカーの管理システム（１）を用いて，平常時には複数のレジデンスカーをレンタルさせ，災害発生時には前記レジデンスカーを災害地へ向かわせ，前記レジデンスカーを災害救済のための住居として提供することにより解決される。  【選択図】  図１
2011191800.tif 000002
【特許請求の範囲】
【請求項１】
平常時には複数のレジデンスカーをレンタルさせ，災害発生時には前記レジデンスカーを災害地へ向かわせ，前記レジデンスカーを災害救済のための住居として提供するためのコンピュータを用いたレジデンスカーの管理システムであって，
前記レジデンスカーの予約情報を受け取るとともに，前記レジデンスカーの予約状況を把握するための予約状況把握部と，
前記災害発生時には，災害救済のために災害地へ提供するレジデンスカーの台数に関する情報が入力され，入力されたレジデンスカーの台数に関する情報を記憶するためのレジデンスカー提供情報把握部と，
前記災害発生時には，
前記予約状況把握部が把握したレジデンスカーの予約状況から，空車であるレジデンスカーの台数を求め，
前記レジデンスカー提供情報把握部が把握した災害地へ提供するレジデンスカーの台数と，前記予約状況把握部が把握したレジデンスカーの予約状況とから，前記災害地へ提供するレジデンスカーの車両数と前記空車であるレジデンスカーの車両数の差を求め，
前記災害地へ提供するレジデンスカーの車両数が前記空車であるレジデンスカーの車両数より大きい場合は，
前記予約状況把握部が把握した予約車両のうち前記車両数の差に相当する分の予約車両の予約キャンセル信号を出力するための，キャンセル信号出力部と，
を具備する，レジデンスカーの管理システム。
【請求項２】
前記予約状況把握部は，
予約を行うレジデンスカーの駐車場の位置を複数種類記憶し，
前記キャンセル信号出力部は，
前記レジデンスカーの駐車場の位置を記憶するとともに，前記災害地と前記駐車場との距離を算出する距離算出機能を有し，
前記駐車場のうち前記災害地に近いものに駐車しているレジデンスカーを優先的に災害地に提供するために，前記災害地に近いものに駐車しているレジデンスカーについて優先的に予約キャンセル信号を出力する，
請求項１に記載のシステム。
【請求項３】
前記予約状況把握部は，キャンセル可能レベルをも記憶し，
前記キャンセル信号出力部は，前記予約状況把握部から前記キャンセル可能レベルを受け取り，前記キャンセル可能レベルが高い順に予約キャンセル信号を出力する，
請求項１に記載のシステム。
【請求項４】
前記災害発生時には，災害の種類に関する情報が入力され，  
前記入力された災害の種類に関する情報を用いて，レジデンスカーに搭載する物資であって，災害の種類に応じた物資に関する情報を出力する災害別物資情報出力手段を具備する，
請求項１に記載のレジデンスカーの管理システム。  
【請求項５】
さらに，前記災害発生時には，ドライバー，又はドライバー兼救援ボランティアとして，活動する複数の者の，住所，及びボランティア希望度を含む情報を記憶するボランティア情報記憶部を具備し，
前記災害発生時には，
前記災害発生地と前記ボランティアの住所とから前記災害発生地と前記ボランティアの住所の距離を求めるとともに，求めた距離，及びボランティア希望度を用いて，所定の計算式により，ボランティア推薦度を計算する，ボランティア推薦度計算部と，
前記ボランティア推薦度計算部が求めたボランティア推薦度が高い順に，ボランティアとなることを打診するための登録したボランティアに関する情報を出力するボランティア情報出力部と，
を具備する請求項１に記載のシステム。
【請求項６】
平常時には複数のレジデンスカーをレンタルさせるとともに，複数のレジデンスカーを購入させる場合に用いられる請求項１に記載のシステムであって，
さらに，前記購入された複数のレジデンスカーに関する情報を記憶する購入レジデンスカー情報記憶部を有し，
前記キャンセル信号出力部は，前記災害発生時には，
前記購入レジデンスカー情報記憶部から前記購入されたレジデンスカーに関する情報を読み出し，
前記予約状況把握部が把握したレジデンスカーの予約状況から，空車であるレジデンスカーの台数を求め，
前記レジデンスカー提供情報把握部が把握した災害地へ提供するレジデンスカーの台数から，前記購入されたレジデンスカーに関する車両数と前記空車であるレジデンスカーの車両数とを除した車両数を求め，
前記災害地へ提供するレジデンスカーの車両数が，前記購入されたレジデンスカーに関する車両数と前記空車であるレジデンスカーの車両数の和より大きい場合は，
前記予約状況把握部が把握した予約車両のうち前記車両数の差に相当する分の予約車両の予約キャンセル信号を出力する，
システム。
【発明の詳細な説明】
【技術分野】
【０００１】
本発明は，被災地などを救援するためのレジデンスカーの管理システムなどに関する。
【背景技術】
【０００２】
地震，台風，洪水，噴火，火災などの災害は，避けることができない事態である。このような災害が発生した場合，従来は，公民館や学校などに多くの被災者が避難していた。しかしながら，避難所での生活は，プライバシーがないので，ストレスがたまりやすいという問題があった。
【０００３】
一方，キャンピングカーなど，その中で生活することができる車両があるので，災害が発生した場合に，大量のキャンピングカーを被災地へ向かわせることも考えられる。しかしながら，大量のキャンピングカーを平常時に待機させるためには，経費がかかり現実的ではない。このため，キャンピングカーなどを平常時はレンタルさせておくか，又は他人に所有させておき，災害時には被災地へ向かわせるように管理するシステムが望まれる。
【０００４】
特許第３６１１２４４号公報には，レンタカー顧客情報提供システムが開示されている。この公報に開示されるシステムは通常の貸自動車業を行うためのシステムであって，必ずしも，災害時の被災者救済には向かない。
【特許文献１】特許第３６１１２４４号号公報
【発明の開示】
【発明が解決しようとする課題】
【０００５】
本発明は，住居として用いることができる車両を，平常時はレンタル又は購入させ，災害時には，被災地へ向かわせるように管理するシステムを提供することを目的とする。
【課題を解決するための手段】
【０００６】
本発明は，基本的には，レジデンスカーをレンタルさせつつ，レンタル状況を把握するとともに，災害時には必要なレジデンスカー数を把握し，空車のレジデンスカーを被災地へ向かわせるとともに，適切にレンタル予約を解除し，被災地へ向かわせることで，効率的にレジデンスカーのレンタルを促進すると共に，災害救済という社会貢献をも行うことができるシステムを提供できるという知見に基づくものである。そして，そのような社会貢献を実現するためには，以下に説明するコンピュータシステムを導入することで，効果的に配車手配を行うことができるという知見に基づくものである。
【０００７】
本発明の第１の側面は，平常時には複数のレジデンスカーをレンタルさせ，災害発生時にはレジデンスカーを災害地へ向かわせ，レジデンスカーを災害救済のための住居として提供する，コンピュータを用いたレジデンスカーの供給方法に関する。すなわち，災害発生時には，所定数のレジデンスカーについてレンタル予約をキャンセルし，被災地へ向かわせる。このようにすることで，レジデンスカーを有効活用できる。
【０００８】
また，本発明の第１の側面は，平常時には複数のレジデンスカーをレンタルさせ，災害発生時にはレジデンスカーを災害地へ向かわせ，レジデンスカーを災害救済のための住居として提供するための，コンピュータを用いたレジデンスカーの管理システムに関する。そして，予約状況把握部は，レジデンスカーの予約情報を受け取るとともに，レジデンスカーの予約状況を把握する。レジデンスカー提供情報把握部は，災害発生時に，災害救済のために災害地へ提供するレジデンスカーの台数に関する情報が入力され，入力されたレジデンスカーの台数に関する情報を記憶する。キャンセル信号出力部は，予約状況把握部が把握したレジデンスカーの予約状況から，空車であるレジデンスカーの台数を求める。そして，キャンセル信号出力部は，レジデンスカー提供情報把握部が把握した災害地へ提供するレジデンスカーの台数と，前記予約状況把握部が把握したレジデンスカーの予約状況とから，災害地へ提供するレジデンスカーの車両数と空車であるレジデンスカーの車両数の差を求める。さらに，キャンセル信号出力部は，災害地へ提供するレジデンスカーの車両数が空車であるレジデンスカーの車両数より大きい場合は，予約状況把握部が把握した予約車両のうち車両数の差に相当する分の予約車両に予約キャンセル信号を出力する。
【０００９】
また，本発明の好ましい態様は，予約状況把握部は，予約を行うレジデンスカーの駐車場の位置を複数種類記憶し，キャンセル信号出力部は，レジデンスカーの駐車場の位置を記憶するとともに，災害地と駐車場との距離を算出する距離算出機能を有し，駐車場のうち災害地に近いものに駐車しているレジデンスカーを優先的に災害地に提供するために，前記災害地に近いものに駐車しているレジデンスカーについて優先的に予約キャンセル信号を出力する，上記に記載のシステムに関する。
【００１０】
また，本発明の好ましい態様は，予約状況把握部は，キャンセル可能レベルをも記憶し，キャンセル信号出力部は，予約状況把握部からキャンセル可能レベルを受け取り，キャンセル可能レベルが高い順に予約キャンセル信号を出力する，上記いずれかに記載のシステムに関する。
【００１１】
本発明の好ましい態様は，前記災害発生時には，災害の種類に関する情報が入力され，前記入力された災害の種類に関する情報を用いて，レジデンスカーに搭載する物資であって，災害の種類に応じた情報を出力する災害別物資情報出力手段を具備する，上記いずれかに記載のシステムに関する。
【００１２】
さらに，災害発生時には，ドライバー，又はドライバー兼救援ボランティアとして，活動する複数の者の，住所，及びボランティア希望度を含む情報を記憶するボランティア情報記憶部を具備し，災害発生時には，災害発生地とボランティアの住所とから災害発生地とボランティアの住所の距離を求めるとともに，求めた距離，報酬，及びボランティア希望度を用いて，所定の計算式により，ボランティア推薦度を計算する，ボランティア推薦度計算部と，ボランティア推薦度計算部が求めたボランティア推薦度が高い順に，ボランティアとなることを打診するための登録したボランティアに関する情報を出力するボランティア情報出力部と，を具備する上記いずれかに記載のシステムに関する。
【００１３】
本発明の上記とは別の態様は，平常時には複数のレジデンスカーをレンタルさせるとともに，複数のレジデンスカーを購入させる場合に用いられるシステムに関する。そして，このシステムは，上記いずれかの構成に加え，前記購入された複数のレジデンスカーに関する情報を記憶する購入レジデンスカー情報記憶部を有する。そして，前記キャンセル信号出力部は，前記災害発生時には，購入レジデンスカー情報記憶部から購入されたレジデンスカーに関する情報を読み出す。また，予約状況把握部が把握したレジデンスカーの予約状況から，空車であるレジデンスカーの台数を求める。そして，キャンセル信号出力部は，レジデンスカー提供情報把握部が把握した災害地へ提供するレジデンスカーの台数から，購入されたレジデンスカーに関する車両数と空車であるレジデンスカーの車両数とを除した車両数を求める。その上で，キャンセル信号出力部は，災害地へ提供するレジデンスカーの車両数が，購入されたレジデンスカーに関する車両数と空車であるレジデンスカーの車両数の和より大きい場合は，予約状況把握部が把握した予約車両のうち車両数の差に相当する分の予約車両の予約キャンセル信号を出力する。
【００１４】
このように，大企業や自治体などにレジデンスカーを購入させ，災害発生時には優先的に被災地へ提供させるようにすることで，企業イメージや自治体のイメージを向上させることができる。すなわち，本発明のシステムによれば，効果的に購入されたレジデンスカーを被災地へ向かわせることができるので，企業イメージや自治体のイメージを向上させることができる。
【発明の効果】
【００１５】
本発明によれば，キャンピングカーなどを平常時はレンタル又は購入させ，災害時には，被災地へ向かわせるように管理する方法及びシステムを提供できる。
【発明を実施するための最良の形態】
【００１６】
本発明は，基本的には，平常時には複数のレジデンスカーをレンタルさせ，災害発生時にはレジデンスカーを災害地へ向かわせ，レジデンスカーを災害救済のための住居として提供するためのコンピュータを用いたレジデンスカーの供給方法に関する。すなわち，本発明は，レジデンスカーを用いた被災地の救済システムを提供するものである。レジデンスカーを平常時にはレンタルさせるので，レンタル料を得ることができ，平常時であってもレジデンスカーを無駄にしないで済む。一方，災害時には，レジデンスカーを被災地へ向かわせるような出力を行うことができる。よって，本発明の救済システムを用いれば，被災者はレジデンスカー内で生活を送ることができ，プライバシーが保たれた快適な生活を送ることができる。
【００１７】
レジデンスカーは，その中で生活することができる車両である。具体的なレジデンスカーは，キャンピングカーなどをもとに適宜調整を加えたものや，トラックなどを改良したものがあげられる。レジデンスカーとして，好ましいものは，レジデンスカーの側面，バック又はフロントなどに，協賛企業や協賛者などの広告を掲載するものである。レジデンスカー事業は，被災者を救済するという社会的貢献を行う事業であるため，この事業の協賛企業などは，著しくイメージアップすることが考えられる。
【００１８】
レジデンスカーは，災害地支援を目的とするものであるから，医療キットを搭載したものが好ましい。また，レジデンスカーは，少なくとも簡易式の風呂を有することが好ましい。災害時に，同じ服を着続けることよりも，風呂に入れないことにストレスを感じる場合が多いので，風呂を有することで災害時におけるストレスを軽減できる。
【００１９】
本発明のレジデンスカーの管理システムは，平常時には複数のレジデンスカーをレンタルさせ，災害発生時にはレジデンスカーを災害地へ向かわせ，レジデンスカーを災害救済のための住居として提供するためのレジデンスカーの管理システムである。
【００２０】
図１は，本発明のレジデンスカーの管理システムの基本構成を示すブロック図である。図１に示されるように，本発明のレジデンスカーの管理システム（１）は，予約状況把握部（２）と，レジデンスカー提供情報把握部（３）と，信号出力部（４）とを具備する。そして，それらの構成要素は，情報の授受を行うことができるようにバスや伝送路などで接続されている。なお，本発明の管理システム（１）は，コンピュータなどにより構成されており，ＣＰＵなどの演算・制御部，メモリなどの記憶部，Ｉ／Ｏなどの入出力部，及びディスプレイなどの出力部を具備するものがあげられる。そして，メインメモリには制御プログラムが格納されており，ポインティングデバイスなどの入力部から所定の情報が入力された場合，ＣＰＵはメインメモリから制御プログラムを読み出し，読み出した制御プログラムの指令に従って各種演算を行い，適宜メモリに情報を記憶し，出力部から出力すればよい。
【００２１】
予約状況把握部は，レジデンスカーの予約情報を受け取るとともに，レジデンスカーの予約状況を把握するため要素である。本発明のレジデンスカーの管理システムは，入力装置から予約情報を受け取り，受け取った予約情報を予約状況把握部に記憶させればよい。具体的な記憶情報として，予約の有無（空車か否か），レンタル者のＩＤ，レンタル者の連絡先，レジデンスカーの種類，予約期間，キャンセル可能レベル，及びレジデンスカーの駐車場情報などがあげられる。これらの情報はデータベースとして管理されていてもよい。予約状況把握部が，災害時には予約キャンセルを受け入れるレベルをも把握することで，スムーズに予約をキャンセルさせて，レジデンスカーを被災地へ向かわせることができる。この予約キャンセル可能レベルは，キャンセル可能か不可能かの２レベルでもよく，複数のレベルに分かれていてもよい。好ましくは，キャンセル可能レベルが，３以上のレベルに分けられているものである。予約状況把握部は，予約を行うレジデンスカーの駐車場の位置を複数種類記憶してもよい。そして，各駐車場の位置とあわせて，各駐車場の空車情報や，予約情報を記憶してもよい。具体的には，入力信号を受信した場合に，適宜演算処理を行ってメモリに適切な情報を記憶させればよい。記憶部は，データベースとして構成されていてもよい。
【００２２】
レジデンスカー提供情報把握部は，災害発生時に，ポインティングデバイスなどにより，災害救済のために災害地へ提供するレジデンスカーの台数に関する情報が入力された場合に，入力されたレジデンスカーの台数に関する情報を受け取って，記憶するため要素である。レジデンスカー提供情報把握部は，レジデンスカーの台数に関する情報のほか，災害地の地域（位置）に関する情報をも記憶しても良い。
【００２３】
キャンセル信号出力部は，災害発生時に予約状況把握部が把握したレジデンスカーの予約状況から，予約なしのレジデンスカーの台数を求める。レジデンスカーの予約状況がデータベースにより記憶されている場合は，予約なしフラグがついているレジデンスカーを抽出し，抽出したレジデンスカーの台数を計算手段により計算すればよい。この作業は，また，被災地のエリア情報を把握しておき，このエリアに含まれるレジデンスカーのうち，予約状況についき，「予約なし」の情報を有しているレジデンスカーを抽出し，そのレジデンスカーの数を計測するようにすればよい。キャンセル信号出力部は，レジデンスカー提供情報把握部が把握した災害地へ提供するレジデンスカーの台数と，予約状況把握部が把握したレジデンスカーの予約状況とから，災害地へ提供するレジデンスカーの車両数と前記空車であるレジデンスカーの車両数の差を求める。この差分計算は，差分回路を用いて計算することもできるし，演算プログラムにより実装してもよい。具体的には，予約なしのレジデンスカーの台数を読み出し，災害地へ提供するレジデンスカーの台数から，予約なしのレジデンスカーの台数を引く演算を行えばよい。この演算結果が，負の数であれば，予約なしのレジデンスカーのみで災害地へ向かわせるレジデンスカーは十分であるから，出力部は，予約なしのレジデンスカーのみで十分である旨の出力を行ってもよい。一方，演算結果が，正の数であれば，予約なしのレジデンスカーのみでは十分ではないので，予約の入っているレジデンスカーをキャンセルするための情報を出力させる。このため，キャンセル信号出力部は，災害地へ提供するレジデンスカーの車両数が空車であるレジデンスカーの車両数より大きい場合は，予約状況把握部が把握した予約車両のうち車両数の差に相当する分の予約車両に予約キャンセル信号を出力する。具体的には，前記差分値が正である場合は，予約状況把握部が把握した予約車両のうち車両数の差に相当する分の予約車両の予約をキャンセルするためのキャンセル情報を出力する。なお，出力部が，各レジデンスカーの通信アドレスを記憶しており，この通信アドレスを用いて予約をキャンセルする車両に，予約キャンセル信号を送信することで，各車両に直接予約キャンセルを伝えてもよい。本発明のシステムは，信号出力部を具備するので，災害発生時に効果的に予約をキャンセルできることとなる。そして，本発明のシステムは，レジデンスカーの予約状況を把握しているので，予約がキャンセルされたレジデンスカーをも被災地へ派遣させる情報を出力できる。
【００２４】
本発明のシステムは，予約状況把握部が，災害時には予約キャンセルを受け入れるレベルをも把握しておき，そのキャンセル可能レベルが高い順にキャンセル信号出力部が，キャンセル信号を出力しても良い。
【００２５】
たとえば，被災地へ１０００台レジデンスカーを提供する必要があり，表１に示されるように，駐車場Ａの５００台は空車であったとする。そして，駐車場Ａのキャンセル可能レベル５の車両が２００台，キャンセル可能レベル４の車両が２００台，キャンセル可能レベル３の車両が２００台あったとする。この場合，空車の５００台，キャンセル可能レベル５の２００台，キャンセル可能レベル４の２００台，及びキャンセル可能レベル３のうち１００台を被災地へ向かわせればよい。このような演算処理は，記憶部から所定の情報を読み出して，制御プログラムに基づいて演算部が演算処理を行うことにより容易に達成できる。
【００２６】
【表１】
2011191800.tif 000003
【００２７】
なお，レジデンスカーをレンタルする際に，キャンセル可能レベルに応じて料金設定を変えても良い。たとえば，キャンセル可能レベルＬの場合は，Ｌ×１０％料金を割り引くようにしても良い。レンタル料金を計算するためのレンタル料金計算システムとしては，通常のレンタル料金を記憶する通常レンタル料金記憶部と，キャンセル可能レベルを受け取り記憶するための，キャンセル可能レベル記憶部と，通常レンタル料金記憶部から通常のレンタル料金を受け取るとともにキャンセル可能レベル記憶部からキャンセル可能レベルに関する情報を受け取り，所定の演算（たとえば，「通常のレンタル料金×（１−０．１×Ｌ）」などの演算）を行う事により，キャンセル可能レベルに応じたレンタル料金を自動的に計算するものがあげられる。
【００２８】
また，予約状況把握部が，予約を行うレジデンスカーの駐車場の位置を複数種類記憶し，キャンセル信号出力部が，レジデンスカーの駐車場の位置を受け取るとともに，災害地と駐車場との距離を算出する距離算出機能を有し，駐車場のうち災害地に近いものに駐車しているレジデンスカーを優先的に災害地に提供するために，前記災害地に近いものに駐車しているレジデンスカーについて優先的に予約キャンセル信号を出力するものであってもよい。
【００２９】
さらに，キャンセル可能レベル及び駐車場から被災地の距離の両方の要素から，被災地へ提供するレジデンスカーを決定しても良い。たとえば，キャンセル可能レベルを５段階として記憶する。一方，求めた距離に応じて，距離が短い方が高い値を得られるように距離レベルを５段階に割り当てる。これらの和をもって，キャンセルレンタカー候補度としてもよいし，キャンセル可能レベルを２倍したものと，距離レベルの和をもってキャンセルレンタカー候補度としてもよい。キャンセルレンタカー候補度は，距離及びキャンセル可能レベル以外の要素を考慮して求めても良い。
【００３０】
図２は，レジデンスカーの駐車場と被災地の距離を示す概念図である。本発明のレジデンスカーの管理システムの好ましい態様は，予約状況把握部が，予約を行うレジデンスカーの駐車場の位置を複数種類記憶し，キャンセル信号出力部が，レジデンスカーの駐車場の位置を記憶するとともに，災害地と駐車場との距離を算出する距離算出機能を有し，駐車場のうち災害地に近いものに駐車しているレジデンスカーを優先的に災害地に提供するために，前記災害地に近いものに駐車しているレジデンスカーについて優先的に予約キャンセル信号を出力するものである。
【００３１】
すなわち，災害発生時に，本発明のレジデンスカーの管理システムに，被災地の位置に関する情報が入力される。すると，キャンセル信号出力部は，記憶した各駐車場の位置を読み出すとともに，被災地の位置に関する情報から災害地と各駐車場との距離を算出する。
【００３２】
たとえば，駐車場Ａの予約状況が，表１に示される状況であり，被災地へ向かわせるレジデンスカーの台数が４００台の場合は，駐車場Ａの空車４００台分を被災地へと向かわせればよい。一方，被災地へ向かわせるレジデンスカーの台数が，１０００台の場合，先に計算したように，駐車場Ａから，空車の５００台，キャンセル可能レベル５の２００台，キャンセル可能レベル４の２００台，及びキャンセル可能レベル３のうち１００台を被災地へ向かわせるようにキャンセル信号を出力すればよい。このようにキャンセル可能レベルが高い順に予約キャンセル信号を出力することで，自動的にキャンセル車両に関する情報を入手でき，災害時においても速やかに対処できることとなる。
【００３３】
一方，駐車場Ｂの予約状況も表１に示される状況である場合，駐車場Ｂにおける空車を利用することも有効である。たとえば，上記のようにして被災地と駐車場Ａとの距離ｌＡを求めるとともに，同様にして被災地と駐車場Ｂとの距離ｌＢを求める。本発明のレジデンスカーの管理システムは，たとえば，あらかじめ距離に応じたカテゴリー分類を記憶しておき，ｌＡおよびｌＢがどのカテゴリーに属するか判断する。たとえば，被災地と駐車場Ａとの距離ｌＡのランクが５であり，被災地と駐車場Ｂとの距離ｌＢのランクが３であったとする。そして，被災地へ１３００台のレジデンスカーを向かわせたいとする。その場合，たとえば，空車をキャンセル可能レベル１０と置き換えて以下のように算出すればよい。すなわち，距離ランクを２乗する。そして，ランクに４を乗じた値を，距離ランクを２乗した値に加算する。この場合，駐車場Ａの空車５００台，駐車場Ｂの空車５００台，駐車場Ａのキャンセル可能レベル５から２００台，駐車場Ａのキャンセル可能レベル４から１００台向かわせることになる。すなわち，駐車場Ａのキャンセル可能レベル５の２００台，駐車場Ａのキャンセル可能レベル４の１００台分について，自動的にキャンセル信号が送信されることとなる。上記のような演算は制御プログラムに基づいて行ってもよいし，所定の係数を記憶した記憶部から，係数を読み出すとともに，乗算器，加算器（減算器）などを適宜用いて計算してもよい。また，駐車場へ向かわせるための値の計算方法は，適宜修正可能となっていてもよい。
【００３４】
また，本発明の好ましい態様は，前記災害発生時には，災害の種類に関する情報が入力され，前記入力された災害の種類に関する情報を用いて，レジデンスカーに搭載する物資であって，災害の種類に応じた物資に関する情報を出力する災害別物資情報出力手段を具備する，上記いずれかに記載のシステムに関する。
【００３５】
災害の種類として，地震，台風，洪水，噴火，火災，津波，土砂崩れなどがあげられる。そして，たとえば，災害の種類ごとに，被災地へ送る物資の情報が記憶されており，災害の種類に関する情報が入力されると，その災害の種類に関する情報とともに記憶される物資に関する情報を読み出して，出力すればよい。このようにすることで，災害の種類に応じた物資に関する情報を迅速かつ的確に入手でき，救援物資を搭載したレジデンスカーを速やかに被災地へ向かわせることができることとなる。
【００３６】
図３は，本発明のレジデンスカーの管理システムの例を示すブロック図である。図３に示されるようにこのシステムは，図１に示される要素のほか，ボランティア情報記憶部（１１）と，ボランティア推薦度計算部（１２）と，ボランティア情報出力部（１３）とを具備する。このような構成を具備するので，このシステムは，効果的にボランティアを選出して，被災地へ向かわせるための情報を出力することができる。
【００３７】
ボランティア情報記憶部（１１）は，災害発生時には，ドライバー，又はドライバー兼救援ボランティアとして，活動する複数の者の，住所，及びボランティア希望度を含む情報を記憶するための要素である。ボランティア希望度をあわせて記憶するので，災害時にボランティアを希望する者を効果的に派遣できる。また，住所を記憶しておくことで，被災地との距離を演算し，ボランティア希望度とあわせて考慮したうえで最適なボランティアを派遣できることとなる。
【００３８】
ボランティア推薦度計算部（１２）は，災害発生時には，災害発生地とボランティアの住所とから災害発生地とボランティアの住所の距離を求めるとともに，求めた距離，及びボランティア希望度を用いて，所定の計算式により，ボランティア推薦度を計算するための要素である。たとえば，ボランティア希望レベルを５段階として記憶する。一方，求めた距離に応じて，距離が短い方が高い値を得られるように距離レベルを５段階に割り当てる。これらの和をもって，ボランティア推薦度としてもよいし，ボランティア希望レベルを２倍したものと，距離レベルの和をもってボランティア推薦度としてもよい。ボランティア推薦度は，距離及びボランティア希望レベル以外の要素を考慮して求めても良い。
【００３９】
ボランティア情報出力部（１３）は，ボランティア推薦度計算部が求めたボランティア推薦度が高い順に，ボランティアとなることを打診するための登録したボランティアに関する情報を出力する要素である。たとえば，ボランティア推薦度が高い順に，モニタなどに表示されても良いし，一覧表が形成されて表示されても良い。このようにしてボランティアとして被災地へ赴くことを打診する候補を適切に選択できる。
【００４０】
本発明の第２の側面は，先に説明したシステムを更に発展させたものである。すなわち，平常時には複数のレジデンスカーをレンタルさせるとともに，複数のレジデンスカーを購入させる場合に用いられるシステムに関する。そして，このシステムは，上記いずれかの構成に加え，前記購入された複数のレジデンスカーに関する情報を記憶する購入レジデンスカー情報記憶部を有する。よって，システムの基本的な構成及び動作については，先に説明した本発明の第１の側面にかかるシステムのものを引用する。
【００４１】
そして，キャンセル信号出力部は，災害発生時には，購入レジデンスカー情報記憶部から購入されたレジデンスカーに関する情報を読み出す。また，予約状況把握部が把握したレジデンスカーの予約状況から，空車であるレジデンスカーの台数を求める。そして，キャンセル信号出力部は，レジデンスカー提供情報把握部が把握した災害地へ提供するレジデンスカーの台数から，購入されたレジデンスカーに関する車両数と空車であるレジデンスカーの車両数とを除した車両数を求める。具体的には，記憶装置から，購入されたレジデンスカーの車両数に関する情報，及び空車であるレジデンスカーの数を読み出す。そして，入力された災害地へ提供するレジデンスカーの台数と，購入されたレジデンスカーの車両数とを比較する。入力された災害地へ提供するレジデンスカーの台数が，購入されたレジデンスカーの車両数より少ない場合は，その旨を出力する。この出力情報に基づいて，購入したレジデンスカーのうち災害地へ向かわせるものを適宜選べばよい。また，たとえば，災害地へ提供するレジデンスカーの車両数が，購入されたレジデンスカーに関する車両数と空車であるレジデンスカーの車両数の和より大きい場合は，キャンセル信号出力部へその旨の情報を伝える。また，入力された災害地へ提供するレジデンスカーの台数から，購入されたレジデンスカーに関する車両数を引く演算を行う。この商と，空車であるレジデンスカーの車両数とを比較する。そして，この商と空車であるレジデンスカーの車両数との大小比較を行う。そして，この商が，空車であるレジデンスカーの車両数より小さい場合，空車であるレジデンスカーの車両数からこの商を引く演算を行う。このようにして，予約状況把握部が把握した予約車両のうち車両数の差に相当する分の予約車両を求める。求めた情報を，キャンセル信号出力部へと伝える。そして，キャンセル信号出力部は，予約状況把握部が把握した予約車両のうち車両数の差に相当する分の予約車両に予約キャンセル信号を出力する。
【００４２】
レンタカーのうち，空車状況にあるレジデンスカーを災害地へ提供するレジデンスカーとするための信号を出力する。また，レンタカーのうち，空車状況にあるものも出動台数を超えた場合はキャンセルを行う。さらに，空車状況にあるレンタカーで十分でない場合は，予約状況にあるレンタカーをも被災地へ向かわせるためのキャンセル信号を出力する。具体的には，レジデンスカー提供情報把握部が把握した災害地へ提供するレジデンスカーの台数と，所定のエリアに存在する購入されたレジデンスカーの台数と，前記予約状況把握部が把握したレジデンスカーの予約状況とから，前記災害地へ提供するレジデンスカーの車両数から，前記所定のエリアに存在する購入されたレジデンスカーの台数と前記空車であるレジデンスカーの台数を除した台数分を求め，前記予約状況把握部が把握した予約車両のうち前記台数分の差に相当する分の予約車両につき予約キャンセル信号を出力する。このシステムに用いられるアルゴリズムは，先に説明したものと同様のものを適宜用いることができる。
【００４３】
このように，大企業や自治体などにレジデンスカーを購入させ，災害発生時には優先的に被災地へ提供させるようにすることで，企業イメージや自治体のイメージを向上させることができる。すなわち，本発明のシステムによれば，効果的に購入されたレジデンスカーを被災地へ向かわせることができるので，企業イメージや自治体のイメージを向上させることができる。
【産業上の利用可能性】
【００４４】
本発明は，レジデンスカーを用いた被災地の救済システムであるから，公益性の高い被災地救済産業において利用されうる。また，本発明は，レンタカーを行うという側面も有するので，貸し自動車業において利用されうる。
【図面の簡単な説明】
【００４５】
【図１】図１は，本発明のレジデンスカーの管理システムの基本構成を示すブロック図である。
【図２】図２は，レジデンスカーの駐車場と被災地の距離を示す概念図である。
【図３】図３は，本発明のレジデンスカーの管理システムの例を示すブロック図である。
【符号の説明】
【００４６】
１  レジデンスカーの管理システム
２  予約状況把握部
３  レジデンスカー提供情報把握部
４  キャンセル信号出力部
１１  ボランティア情報記憶部
１２  ボランティア推薦度計算部
１３  ボランティア情報出力部
【図１】
2011191800.tif 000004
【図２】
2011191800.tif 000005
【図３】
2011191800.tif 000006